(57)【要約】【課題】保留内確定演出の実施を好適に振り分けることにより、興趣ある弾球遊技機を提供する。【解決手段】先読演出として保留記憶内に大当りがあることを示唆する保留内確定演出を備え、該保留内確定演出は、大当りとなる保留記憶があることで実行条件が成立し、該実行条件が成立している状態で図柄の変動中に実施する第１保留内確定演出と大当り遊技中に実施する第２保留内確定演出とがあり、第１保留内確定演出は、実行条件が成立した状態で保留記憶数が所定数以上である際に実行可能となる。【選択図】図１５
2018192105.tif 000002
【特許請求の範囲】
【請求項１】
遊技領域に設けられた始動口への入球に起因して導出表示を行い、該導出表示の結果に基づいて遊技者に有利な大当り遊技状態に制御可能な弾球遊技機であって、
前記導出表示に応じた変動演出を表示する演出表示装置と、
前記始動口へ入球しながら未だ開始されていない前記導出表示に関する情報を記憶する保留記憶手段と、
前記導出表示を開始する前に前記情報を判定する先読判定手段と、
該先読判定手段の判定に基づいて先読演出を行う先読演出手段と、
該先読演出として、前記保留記憶手段が大当り遊技状態に制御される前記情報を記憶していることを示唆する保留内確定演出と、を備え、
該保留内確定演出は、大当り遊技状態に制御される前記情報を前記保留記憶手段が記憶していることで実行条件が成立し、該実行条件が成立している状態で前記導出表示中に行う第１保留内確定演出と、大当り遊技中に行う第２保留内確定演出とを備え、
前記第１保留内確定演出は、前記保留記憶の数が所定数以上であることが成立した状態で前記導出表示を実施する際に実行可能となる
ことを特徴とする弾球遊技機。
【発明の詳細な説明】
【技術分野】
【０００１】
本発明は弾球遊技機、特に始動口への入賞に起因して大当りを生起させるか否かの抽選を実施する弾球遊技機に関する。
【背景技術】
【０００２】
一般的な弾球遊技機であるパチンコ機は、遊技球が始動口へ入賞すると当否判定用の乱数値が抽出され、該乱数値に基づいて当否判定が行われ、図柄表示装置にて特別図柄の変動が開始されるとともに、当否判定の結果を図柄表示装置に確定表示し、当りであれば大入賞口を開放して遊技者にとって有利な大当り遊技を実行する機種が主流である。
【０００３】
またこの種のパチンコ機では、始動口への入賞時に抽出された前記乱数値を当否判定の実施以前に事前に参照し(先読判定)、その参照結果に基づいて表示演出（先読演出）を行うものがあり、大当り遊技中など、既に利益が確定（享受）しているときに更なる利益が確定していることを先読演出として報知するいわゆる保留内確定演出を備える遊技機がある＜特許文献１＞。
【０００４】
この構成であれば、大当り遊技により利益を与えられている状況に、更なる利益が与えられることを事前に報せることにより、喜びを増幅させる効果がある。さらに近年では、大当り遊技中だけでなく、大当りする変動中に保留記憶内に当りがあることを報知する先読演出を実施するパチンコ機がある。
【先行技術文献】
【特許文献】
【０００５】
【特許文献１】特開２００９−０３４１９９号公報
【発明の概要】
【発明が解決しようとする課題】
【０００６】
しかしながら、所定の利益獲得がほぼ確定した状態で更なる利益享受を報知する保留内確定演出が行われる遊技状態は画一的であるため、興趣に欠け、保留内確定演出を実施する遊技状態を好適に振り分けて実施する必要がある。
【０００７】
そこで本発明は上記事情に鑑み、保留内確定演出の実施を好適に振り分けることにより、興趣ある弾球遊技機を提供することを課題とする。
【課題を解決するための手段】
【０００８】
請求項１記載の弾球遊技機は、
遊技領域に設けられた始動口への入球に起因して導出表示を行い、該導出表示の結果に基づいて遊技者に有利な大当り遊技状態に制御可能な弾球遊技機であって、
前記導出表示に応じた変動演出を表示する演出表示装置と、
前記始動口へ入球しながら未だ開始されていない前記導出表示に関する情報を記憶する保留記憶手段と、
前記導出表示を開始する前に前記情報を判定する先読判定手段と、
該先読判定手段の判定に基づいて先読演出を行う先読演出手段と、
該先読演出として、前記保留記憶手段が大当り遊技状態に制御される前記情報を記憶していることを示唆する保留内確定演出と、を備え、
該保留内確定演出は、大当り遊技状態に制御される前記情報を前記保留記憶手段が記憶していることで実行条件が成立し、該実行条件が成立している状態で前記導出表示中に行う第１保留内確定演出と、大当り遊技中に行う第２保留内確定演出とを備え、
前記第１保留内確定演出は、前記保留記憶の数が所定数以上であることが成立した状態で前記導出表示を実施する際に実行可能となる
ことを特徴とする弾球遊技機である。
【０００９】
始動口へ遊技球が入球したことに起因して乱数を抽出する構成とし、該乱数は、大当りを生起させるか否かを抽選するための当否（大当り）判定用乱数の他に、該大当り判定用乱数の抽選結果に応じた図柄の種類と、当該図柄を導出表示するまでの導出表示時間（可変表示時間）とを決定するために用いる乱数であればよく、例えば大当り，小当り，ハズレの図柄決定用乱数、リーチ決定用乱数、変動パターン決定用乱数としてもよく、当否判定の結果に応じて、使用する乱数と使用しない乱数とがある構成としてもよい。また、乱数の抽出時期は、始動口への遊技球の入球時に限らず、導出表示（図柄の変動）の開始直前に行われる当否判定実施時としてもよい。
【００１０】
保留記憶手段に記憶される保留記憶の数は、始動口への入球に基づいて増加し、導出表示の開始（保留記憶の抽選（当否判定））によって減少すればよく、保留記憶数の増減時に保留記憶数を示すコマンドを演出表示装置を含む演出機器を制御するサブ制御装置に送信する構成が好適である。
【００１１】
先読判定手段による判定は、乱数値を抽出する毎に実施する構成が好適であるが、サブ制御装置への判定結果送信は、先読判定手段による判定を行った毎に必ず行ってもよいし、先読判定手段の判定結果や先読判定時の遊技状態を条件として、送信するか否かの判定を行い、送信しない場合がある構成としてもよい。
【００１２】
「実行条件が成立している状態で前記導出表示中に行う第１保留内確定演出」は、保留記憶数が所定数以上で行う導出表示の実施時に当該保留記憶の中に大当りとなる保留記憶を記憶していることで実行条件が成立し、この状態から所定の導出表示を開始する際に第１保留内確定演出の実施を判定してもよいし、所定の導出表示中に大当りとなる保留記憶が発生したことで実行条件が成立し、該成立を受け当該所定の導出表示中に第１保留内確定演出の実施を判定してもよい。
【００１３】
同様に、実行条件が成立した状態から大当り遊技が開始される場合は、該開始時に第２保留内確定演出の実施を判定してもよいし、大当り遊技中に大当りとなる保留記憶が発生したことで実行条件が成立した場合は、該発生を契機に第２保留内確定演出の実施を判定してもよい。
【発明の効果】
【００１４】
請求項１に記載の弾球遊技機によれば、保留記憶数に応じて、導出表示中の第１保留内確定演出を行なうか、大当り遊技中の第２保留内確定演出行なうか選択することができる。また、例えば、大当りとなる導出表示を開始した時点（保留記憶数３個以下）で実行条件が成立していれば、大当り遊技まで待ってから第２保留内演出を行うよりも、導出表示中に第１保留内確定演出を行うことにより当該変動の大当りと保留記憶内の大当りを同時期に示唆して演出した方が遊技者にもインパクトを与えることができる。
【図面の簡単な説明】
【００１５】
【図１】遊技盤１の正面図。
【図２】パチンコ機の電気的構成を示すブロック図。
【図３】作動内容を示す図表。
【図４】主制御装置８０が実行するメインルーチンを示すフローチャート。
【図５】主制御装置８０が実行する始動入賞処理を示すフローチャート。
【図６】主制御装置８０が実行する当否判定処理１を示すフローチャート１。
【図７】主制御装置８０が実行する当否判定処理１を示すフローチャート２。
【図８】主制御装置８０が実行する当否判定処理１を示すフローチャート３。
【図９】第１特別図柄と第２特別図柄の変動時間の一例を示す図表。
【図１０】サブ統合制御装置８３が実行する保留数指示コマンド受信処理を示すフローチャート。
【図１１】サブ統合制御装置８３が実行する先読判定コマンド受信処理を示すフローチャート。
【図１２】サブ統合制御装置８３が実行する変動指示コマンド受信処理を示すフローチャート。
【図１３】サブ統合制御装置８３が実行する第１保留内確定演出実施判定処理を示すフローチャート。
【図１４】サブ統合制御装置８３が実行する第２保留内確定演出実施判定処理を示すフローチャート。
【図１５】演出図柄表示装置６で実施する表示例１
【図１６】演出図柄表示装置６で実施する表示例２
【図１７】演出図柄表示装置６で実施する表示例３
【図１８】演出図柄表示装置６で実施する表示例４
【図１９】演出図柄表示装置６で実施する表示例５
【発明を実施するための形態】
【００１６】
以下に本発明の好適な実施形態について説明する。尚、本発明の実施の形態は下記の実施形態例に何ら限定されるものではなく、本発明の技術的範囲に属する種々を採ることができ、各実施例に記載された内容を適宜組み合わせることが可能なことはいうまでもない。
【実施例】
【００１７】
図１は、遊技盤１の正面図である。図１に示すように遊技盤１には、公知のガイドレール２ａ、２ｂによって囲まれた略円形の遊技領域が、ほぼ中央部に配置されたセンターケース５を境に第１遊技領域３ａと第２遊技領域３ｂとに分けられており、センターケース５の左側が第１遊技領域３ａ、右側が第２遊技領域３ｂとなり、図に示したＡ部まで到達した遊技球は、第２遊技領域誘導路１０１を転動し、第２遊技領域３ｂ（センターケース５の右側）に至り、Ａに到達しない遊技球が第１遊技領域３ａ（センターケース５の左側）を流下することになる。また、この第１遊技領域３ａ，第２遊技領域３ｂには多数の遊技釘が植設されている。
【００１８】
センターケース５は、公知のものと同様に、ワープ入口、ワープ通路、ステージ、演出図柄表示装置６（本発明の演出表示装置に相当）の画面を臨ませる窓等を備えている。センターケース５の下には、第１始動口１１（本発明の始動口に相当）が配置されている。また、第１始動口１１の左方には、４個の普通入賞口３１が設けられている。なお、この普通入賞口３１は、入球率が変化しない普通入賞口である。
【００１９】
センターケース５の右の第２遊技領域３ｂには、普通図柄作動ゲート１７が配置され、普通図柄作動ゲート１７の下には普通電動役物１５からなる第２始動口１２が配置されており、この普通電動役物１５は開閉可能な翼片を供えこの翼片が開放しなければ第２始動口１２への入球は不可となっている。普通電動役物１５からなる第２始動口１２の左下には大入賞口１４が配置されている。
【００２０】
第１始動口１１は、植設された遊技釘及びセンターケース５を構成する成型樹脂により、第２遊技領域３ｂを流下した遊技球が入球困難な構成となっている。これにより、第１始動口１１は、ほぼ第１遊技領域３ａを流下した遊技球のみが入球可能となる。
【００２１】
第２遊技領域３ｂの下部には、複数個のＬＥＤからなる普通図柄表示装置７、普通図柄保留数表示装置８と、７セグメント表示装置からなる第１特別図柄表示装置９、第２特別図柄表示装置１０と、複数個のＬＥＤからなる第１特別図柄保留数表示装置１８、第２特別図柄保留数表示装置１９とが配置されている。この位置に配置した各種表示装置の表示内容を遊技者が確実に認識することは困難となり、遊技中の遊技者は演出図柄表示装置６の表示内容に注目して遊技を行うことになる。
【００２２】
上記のように遊技盤１を構成することによって、第１遊技領域３ａに遊技流を流下させた場合に限り第１始動口１１に遊技球が入球（第１始動口スイッチ１１ａ（図２参照）が遊技球を検出）し、第１特別図柄表示装置９において第１特別図柄（以下、第１特図とも記載）が変動を開始し、所定時間後に停止する。
【００２３】
第２遊技領域３ｂに遊技流を流下させると、普通図柄作動ゲート１７に遊技球が入球（普通図柄作動スイッチ１７ａ（図２参照）が遊技球を検出）し、普通図柄表示装置７で普通図柄（以下、普図とも記載）が変動表示を開始し、所定時間後に停止した普図の態様に応じて、後述する普通電役ソレノイド１２ｂ（図２参照）を駆動させる。普通電役ソレノイド１２ｂが駆動すると、ほぼ同期して普通電動役物１５の翼片が開放して、第２始動口１２への入球（第２始動口スイッチ１２ａ（図２参照）の検出）が可能となるように構成されている。第２始動口１２である普通電動役物１５に遊技球が入球（第２特図始動スイッチ１２ａ（図２参照）が遊技球を検出）すると、第２特別図柄表示装置１０において第２特別図柄（以下、第２特図とも記載）が変動表示を開始し、所定時間後に停止する。
【００２４】
本実施例では、第２始動口１２は普通電動役物１５の翼片が駆動しなければ遊技球が入球不可能な構成となっているが、入球が困難なだけで入球可能な構成としてもよい。
【００２５】
第１特別図柄及び第２特別図柄の変動中は、演出図柄表示装置６において各々の特別図柄（以降、特図ともいう）の変動に連動した演出態様を表示する。また、第１特別図柄と第２特別図柄は、同時に変動することはなく、第１始動口と第２始動口への入球順に関係なく、第２特別図柄の変動（当否判定）を優先して実施する。具体的には、第１特別図柄の保留記憶がある場合、第２特別図柄の変動が停止し、且つ、第２特別図柄保留記憶が無い状態となって、第１特別図柄保留記憶分の変動を開始（当否判定を実施）する。
【００２６】
第１特別図柄及び第２特別図柄の確定表示した態様に応じて、後述する大入賞口ソレノイド１４ｂ（図２参照）が駆動する。大入賞口ソレノイド１４ｂが駆動すると、ほぼ同期して大入賞口１４の扉部材が開放し、大入賞口１４への遊技球の入球（カウントスイッチ１４ａ（図２参照）が遊技球を検出）が可能となるように構成されている。
【００２７】
普通図柄作動ゲート１７、普通電動役物１５からなる第２始動口１２、及び大入賞口１４とは、第２遊技領域３ｂ（センターケース５の右側）に配置されているため、大当り遊技状態、及び開放延長状態に移行した場合は、発射した遊技球の全てが第２遊技領域３ｂに到達するように発射ハンドルを調整することになる。
【００２８】
図２は、パチンコ機の電気的構成を示すブロック図となり、主制御装置８０を中心にして構成されている。なお、このブロック図には、単に信号を中継するだけのためのいわゆる中継基板及び電源回路等は記載していない。また、詳細な図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本実施例では発射制御装置８４にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
【００２９】
主制御装置８０には、第１始動口１１に入球した遊技球を検出する第１始動口スイッチ１１ａ、第２始動口１２に入球した遊技球を検出する第２始動口スイッチ１２ａ、普通図柄を作動させる普通図柄作動ゲート１７に進入した遊技球を検出する普通図柄作動スイッチ１７ａ、大入賞口１４に入球した遊技球を計数するためのカウントスイッチ１４ａ、普通入賞口３１に入球した遊技球を検出する普通入賞口スイッチ３１ａ等の検出信号が入力され、裏配線中継端子板７５を介して、前枠（ガラス枠）および内枠が閉鎖しているか否か検出するガラス枠開放スイッチ３５、内枠開放スイッチ３６の検出信号が入力される。
【００３０】
主制御装置８０は搭載しているプログラムに従って動作して、上述の検出信号などに基づいて遊技の進行に関わる各種のコマンドを生成して払出制御装置８１及びサブ統合制御装置８３に出力する。また主制御装置８０は、図柄表示装置中継端子板９０を介して接続されている第１特別図柄表示装置９、第２特別図柄表示装置１０及び普通図柄表示装置７の表示、第１特別図柄保留数表示装置１８、第２特別図柄保留数表示装置１９、普通図柄保留数表示装置８の点灯を制御する。
【００３１】
更に、主制御装置８０は、大入賞口ソレノイド１４ｂを制御することで大入賞口１４の開閉を制御し、普通電動役物ソレノイド（図２では普電役物ソレノイドと表記）１７ｂを制御することで第２始動口１２の開閉を制御する。主制御装置８０からの出力信号は試験信号端子にも出力される他、図柄変動や大当り（特別遊技ともいう）等の管理用の信号が外部接続端子７８に出力されてホールコンピュータ８７に送られる。
【００３２】
主制御装置８０と払出制御装置８１とは双方向通信が行われ、払出制御装置８１は、主制御装置８０から送られてくるコマンドに応じて払出モータ２０を制御して賞球を払い出す。本実施例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
【００３３】
なお、払出制御装置８１はガラス枠開放スイッチ３５、内枠開放スイッチ３６、満杯スイッチ２２、球切れスイッチ２３からの信号が入力され、満杯スイッチ２２により下皿６３が満タンであることを示す信号が入力された場合及び球切れスイッチ２３により球タンクに遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
【００３４】
また、払出制御装置８１はＣＲユニット端子板２４を介してプリペイドカードユニットと交信することで払出モータ２０を作動させ、貸し球を排出する。払出された貸し球は払出スイッチ２１に検出され、検出信号は払出制御装置８１に入力される。なお、ＣＲユニット端子板２４は精算表示基板２５とも双方向通信可能に接続されており、精算表示基板２５には、遊技球の貸出しを要求するための球貸ボタン、精算を要求するための返却ボタン、残高表示器が接続されている。
【００３５】
また、払出制御装置８１は、外部接続端子７８を介して賞球に関する情報、枠（内枠、前枠）の開閉状態を示す情報などをホールコンピュータに送信するほか、発射制御装置８４に対して発射停止信号を送信する。なお本実施例では遊技球を払い出す構成であるが、入賞等に応じて発生した遊技球を払い出さずに記憶する封入式の構成にしても良い。
【００３６】
発射制御装置８４は発射モータ３０を制御して遊技球を発射させる。なお、発射制御装置８４には払出制御装置８１以外に発射ハンドルからの回動量信号、タッチスイッチ２８からのタッチ信号、発射停止スイッチ２９から発射停止信号が入力される。回動量信号は、遊技者が発射ハンドルを操作することで出力され、タッチ信号は遊技者が発射ハンドルを触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドルを触っていても遊技球は発射できないようになっている。
【００３７】
サブ統合制御装置８３はＣＰＵ、ＲＯＭ、ＲＡＭ等の電気部品を備えており、搭載するＲＯＭに記憶されたプログラムに従ってＣＰＵにて処理を実行し、入力される遊技スイッチ６７ａの入力ならびに主制御装置８０から入力されるコマンドに基づいて演出に関わる各種コマンド等を生成し、演出図柄制御装置８２に出力する。
【００３８】
また、サブ統合制御装置８３には、音量を調節する音量調節スイッチ８３ａが備えられ、音量調節スイッチ８３ａの状態（位置）を検出し、その検出結果とスピーカ６６へ送信する内容とを判断し、スピーカ６６から出力する音量をソフト的に制御するように構成されている。
【００３９】
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して擬似図柄等の演出画像を表示する。尚、サブ統合制御装置８３と主制御装置８０とは間に演出中継端子板６５を介した主制御装置８０からサブ統合制御装置８３への一方向通信回路として構成され、サブ統合制御装置８３と演出図柄制御装置８２とはサブ統合制御装置８３から演出図柄制御装置８２への一方向通信回路として構成されている。
【００４０】
次に、図３の図表を用いて、遊技機の作動内容について概要を説明する。本実施形態におけるパチンコ機は確率変動機として構成され、第１始動口１１及び第２始動口１２への遊技球入球に基づく当否判定は、通常確率状態（低確率状態）と、該通常確率状態に比べて大当りとなる確率が高い高確率状態とのいずれかの遊技状態で実施される。本実施例では通常（低）確率が１／２２０、高確率が１／３０に設定されている。なお、小当り確率は、通常遊技状態と高確率遊技状態とで同一の１／１１０となり、当選すると大入賞口１４が１．６秒間開放する。
【００４１】
また、普通電動役物１５（第２始動口１２）の作動契機と作動時間を変化させる開放延長機能を備えており、開放延長機能未作動時では、普通図柄の１回の当りに対して普通電動役物１５は０．２秒の開放動作を１回行い、開放延長機能作動時（開放延長状態）では、普通図柄の１回の当りに対して普通電動役物１５は１．０秒の開放動作を３回行うよう設定されている。また、開放延長機能が作動する遊技状態（開放延長状態）での第１及び第２特別図柄の変動パターン（変動時間）は、開放延長機能が未作動時の遊技状態で使用する変動パターン選択テーブルよりも平均変動時間が短くなるように設定された変動パターン選択テーブルを用いて選択される構成となっている。これにより、開放延長機能作動時の単位時間あたりの特別図柄の変動回数が、開放延長機能未作動時よりも増加する構成（時短状態）となっており、この時短機能は、開放延長機能の作動開始と終了との契機を同じくして作動する。
【００４２】
尚、開放延長機能作動時には、普通図柄の変動時間を短縮（単位時間当りの普通図柄の変動回数が増加）する時短機能も作動する構成となっている。具体的には、開放延長機能未作動時となる通常時の普通図柄の変動時間は６．２秒に設定され、開放延長機能作動時の普通図柄の変動時間は０．７秒に設定されている。これにより、開放延長機能作動時では単位時間当りの普通図柄の変動回数が増加し、普通電動役物の作動契機を大きく増加させている。よって、単位時間当たりの普通電動役物への入球率が増加し、第２特別図柄の変動回数が増えるとともに持球の減少が抑えられる。
【００４３】
大当り遊技は、全ての大当り時において大入賞口１４が１５ラウンド（１ラウンド最高２９．０秒開放又は９カウント）の開放動作を行う。大当り図柄には確変図柄と通常図柄とがあり、確変図柄で大当りした場合は、大当り遊技終了後から次回の大当りまで高確率遊技状態に移行し、通常図柄で大当りした場合は、大当り遊技終了後、特別図柄が１００回の変動表示を行うまで通常確率の時短（開放延長）状態となる。
【００４４】
次に、図４を用いて、主制御装置８０が実行するメインルーチンを説明する。メインルーチンは、約２ｍｓ毎のハード割り込みにより定期的に実行される。本実施形態では、Ｓ１０〜Ｓ７５までの１回だけ実行される処理を「本処理」と称し、この本処理を実行して余った時間内に時間の許す限り繰り返し実行されるＳ８０の処理を「残余処理」と称する。「本処理」は上記割り込みにより定期的に実行されることになる。
【００４５】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、ほとんどが電源投入時である。電源投入時にはＲＡＭの所定領域の値が所定値と異なる値となっている。
【００４６】
Ｓ１０が否定判定、即ち、正常割り込みでないと判断されると（Ｓ１０：ｎｏ）、初期設定(例えば前記メモリの所定領域への所定値を書き込み、特別図柄及び普通図柄を初期図柄とする等のメモリの作業領域への各初期値の書き込み等）が為され（Ｓ１５）、残余処理（初期乱数更新処理（Ｓ８０））に移行する。
【００４７】
正常割り込みとの肯定判断がなされると（Ｓ１０：ｙｅｓ）、初期値乱数更新処理（Ｓ２０）、大当り決定用乱数更新処理（Ｓ２５）、大当り図柄決定用乱数１更新処理（Ｓ３０）、大当り図柄決定用乱数２更新処理（Ｓ３５）、小当り図柄決定用乱数更新処理（Ｓ４０）、当り決定用乱数更新処理（Ｓ４５）、リーチ判定用乱数更新処理（Ｓ５０）、変動パターン決定用乱数更新処理（Ｓ５５）が行われる。
【００４８】
続く入賞確認処理（Ｓ６０）では、第１始動口１１、第２始動口１２への入賞、大入賞口１４への入賞、普通入賞口３１への入賞及び普通図柄作動ゲート１７への入球の確認、及びパチンコ機５０に設けられ主制御装置８０に接続された各スイッチ類の入力処理が実行される。各始動口及び作動口への入賞（入球）確認処理（始動入賞処理）については、図５を用いて後述する。
【００４９】
続いて、当否判定処理（Ｓ６５）、画像出力処理等の各出力処理（Ｓ７０）、不正監視処理（Ｓ７５）を行って、次に割り込み信号が入力されるまでの残余時間内には初期乱数更新処理（Ｓ８０）をループ処理する。
【００５０】
次に、図５を用いて、主制御装置８０が実行する始動入賞処理を説明する。本処理は、図４に示した入賞確認処理（Ｓ６０）のサブルーチンの一つであり、本発明の保留記憶手段、先読判定手段を含む処理となる。
【００５１】
以後、第１始動口１１に遊技球が入球したときに格納される保留記憶を第１保留記憶、第２始動口１２に遊技球が入球したときに格納される保留記憶を第２保留記憶、普通図柄始動ゲート１７を遊技球が通過したときに格納される保留記憶を普図保留記憶として説明する。
【００５２】
本処理を開始すると、第１始動口スイッチ１１ａが遊技球を検出したか否か判定する(Ｓ１００)。肯定判定であれば(Ｓ１００：ｙｅｓ）、主制御装置８０に既に格納されている第１保留記憶数が上限数(本実施例では４個)未満であるか否か判定する(Ｓ１０５)。肯定判定であれば(Ｓ１０５：ｙｅｓ）、当否乱数等の各種乱数値（大当り決定用乱数、大当り図柄決定用乱数１，２、小当り図柄決定用乱数、リーチ判定用乱数、変動パターン決定用乱数）を抽出し、第１保留記憶として主制御装置８０の保留記憶数に応じた記憶領域に格納し、第１保留記憶の数を示す第１保留記憶カウンタに１を加算する(Ｓ１１０) （本発明の保留記憶手段に相当）。
【００５３】
Ｓ１１０に続いては、記憶した第１保留記憶の先読判定を行う（Ｓ１１５）。具体的には、大当り決定用乱数の値が大当りを生起させる値か否かを確認し、大当り値なら大当り図柄の種類を確認する。大当り判定がハズレなら、小当りを生起する値か否かを確認し、小当り値なら小当り図柄の種類を確認する。大当りでも小当りでもないハズレなら、ハズレ図柄の種類を確認する（本発明の先読判定手段に相当）。
【００５４】
続いて、Ｓ１１５の先読判定結果に基づいて第１先読判定コマンドを生成してサブ統合制御装置８３に送信し（Ｓ１２０）、Ｓ１１０で加算した第１保留記憶カウンタの値を示す第１保留数指示コマンドをサブ統合制御装置８３に送信する（Ｓ１２５）。本実施例では、第１先読判定コマンドと第１保留数指示コマンドとを個別のコマンドとしてサブ統合制御装置８３に送信しているが、この二つのコマンド内容を一つのコマンドに合成してサブ統合制御装置８３に送信する構成も考えられる。また、保留記憶数コマンドの内容は、Ｓ１１０で加算した第１保留記憶カウンタの値を示すものではなく、＋１（１増）を示すものでもよい。
【００５５】
Ｓ１２５の処理、又はＳ１００、Ｓ１０５の否定判定（Ｓ１００：ｎｏ、Ｓ１０５：ｎｏ）に続いては、第２始動口スイッチ１２ａが遊技球を検出したか否か判定する(Ｓ１３０)。否定判定なら（Ｓ１３０：ｎｏ）Ｓ１６０に進み、肯定判定なら(Ｓ１３０：ｙｅｓ）、主制御装置８０に格納されている第２保留記憶の数が上限数(＝４個)未満か否か判定する(Ｓ１３５)。否定判定なら（Ｓ１３５：ｎｏ）Ｓ１６０に進み、肯定判定であれば(Ｓ１３５：ｙｅｓ）、当否乱数等の各種乱数値（大当り決定用乱数、大当り図柄決定用乱数１，２、小当り図柄決定用乱数、リーチ判定用乱数、変動パターン決定用乱数）を抽出し、第２保留記憶として主制御装置８０の保留記憶数に応じた記憶領域に格納し、第２保留記憶の数を示す第２保留記憶カウンタに１を加算し（Ｓ１４０）（本発明の保留記憶手段に相当）、Ｓ１１５と同様に記憶した第２保留記憶の先読判定を行う（Ｓ１４５）（本発明の先読判定手段に相当）。
【００５６】
続いて、Ｓ１４５の判定結果に基づいて第２先読判定コマンドを生成しサブ統合制御装置８３に送信し（Ｓ１５０）、Ｓ１４０で加算した第２保留記憶カウンタの値を示す第２保留数指示コマンドをサブ統合制御装置８３に送信して（Ｓ１５５）、Ｓ１６０に進む。
【００５７】
Ｓ１６０では、普通図柄作動スイッチ１７ａが遊技球を検出したか否か判定する(Ｓ１６０)。否定判定なら（Ｓ１６０：ｎｏ）リターンに抜け、肯定判定なら(Ｓ１６０：ｙｅｓ）、主制御装置８０に格納されている普図保留記憶数が上限数(＝４個)未満か否か判定する(Ｓ１６５)。否定判定なら（Ｓ１６５：ｎｏ）リターンに抜け、肯定判定であれば(Ｓ１６５：ｙｅｓ）、抽出した当り判定用乱数と当り図柄決定用乱数とを普図保留記憶として記憶し、普図保留記憶数を示す普図保留記憶カウンタに１を加算し（Ｓ１７０）、加算した普図保留記憶カウンタの値を示す普図保留記憶数指示コマンドをサブ統合制御装置８３に送信し（Ｓ１７５）、リターンする。
【００５８】
サブ統合制御装置８３は第１及び第２保留記憶数指示コマンドを受信すると、受信したコマンドが示す保留記憶数に応じて演出図柄表示装置６上で表示する各保留記憶数を変化（保留図柄を表示）させる指示信号を演出図柄制御装置８２に送信する。また、本実施例では、演出図柄表示装置６上では普通図柄の保留記憶数表示は行わないが、普図保留記憶数指示コマンドの受信に応じて表示する構成としてもよいし、普図保留記憶数指示コマンド自体を送信しない構成としてもよい。また、普図の先読判定を実施し判定結果をサブ統合制御装置に送信する構成も考えられる。これにより、普通電動役物（第２始動口１２）の開放を期待させる先読予告の実施が可能となる。
【００５９】
次に、図６，７，８を用いて、主制御装置８０が実行する当否判定処理を説明する。本処理は、「始動口への入球に起因して導出表示を行い、該導出表示の結果に基づいて遊技者に有利な大当り遊技状態に制御するか否かを判定する」処理となる。
【００６０】
本処理を開始すると、条件装置が作動中か否か、即ち、大当り中か否か判定し（Ｓ２００）、肯定判定なら（Ｓ２００:ｙｅｓ）リターンし、否定判定なら（Ｓ２００：ｎｏ）、第１又は第２特別図柄が変動中か否か判定し（Ｓ２０５）、否定判定なら（Ｓ２０５：ｎｏ）、第１又は第２特別図柄が確定表示中か否か判定し（Ｓ２１０）、否定判定なら（Ｓ２１０：ｎｏ）、第２保留記憶が有るか否か判定し（Ｓ２１５）、肯定判定なら（Ｓ２１５：ｙｅｓ）、Ｓ２２５に進み、否定判定なら（Ｓ２１５：ｎｏ）、第１保留記憶が有るか否か判定する（Ｓ２２０）。
【００６１】
Ｓ２２０が否定判定なら（Ｓ２２０：ｎｏ）リターンに抜け、肯定判定なら（Ｓ２２０：ｙｅｓ）Ｓ２２５に進む。Ｓ２１５とＳ２２０の判定順により、第２保留記憶の当否判定を優先して実施する構成となっている。尚、本実施例では、特別図柄が複数（第１特別図柄と第２特別図柄）の構成となっているが、特別図柄を１つとした構成であっても本発明の効果に変わりはない。また、２種類の特図が同時に変動可能な構成であっても本発明の効果に変わりはない。
【００６２】
Ｓ２２５では時短フラグの値が０か否か判定する（Ｓ２２５）。時短フラグは、主制御装置８０が記憶する値であり、値が「１」のときは時短状態、及び開放延長状態であることを、値が「０」のときは非時短状態、非開放延長状態であることを主制御装置８０が判断する。Ｓ２２５が肯定判定なら（Ｓ２２５：ｙｅｓ）Ｓ２３０に進み、否定判定なら（Ｓ２２５：ｎｏ）時短状態中の処理に進む。時短状態中の処理は、特図の変動時間を設定する変動パターン選択テーブルのみが異なる処理となるため説明は割愛する。
【００６３】
Ｓ２３０では、保留記憶のシフト処理を行い（Ｓ２３０）、これにより最も古い保留記憶を当否判定の対象とするとともに、保留記憶数を示す保留記憶カウンタから１を減算する。本実施例では、保留数が増加した時のみ保留数指示コマンドをサブ統合制御装置８３に送信する構成としているが、この減算に応じて、サブ統合制御装置８３に減少を示す保留数指示コマンドを送信する構成としてもよい。
【００６４】
Ｓ２３０に続いては、当否判定の対象とした保留記憶の大当り判定用乱数の値と予め設定された当否判定テーブルとを比較して、乱数値が当否判定テーブル内の判定値と一致するか比較する（Ｓ２３５）。当否判定テーブルは通常確率（低確率１／２２０）用と高確率（１／３０）用の２種類のテーブルが設定してあり、当否判定時の遊技状態が通常確率状態（確変フラグ「０」）であれば通常確率用の当否判定テーブルを用いて比較し、高確率状態（確変フラグ「１」）であれば高確率用の当否判定テーブルを用いて比較する。
【００６５】
続くＳ２４０の処理では、大当り判定用乱数の比較処理（Ｓ２３５）の結果が大当り（判定値と同一）であるか否か判定する（本実施例では１／２２０）。肯定判定なら（Ｓ２４０：ｙｅｓ）、図柄モード設定処理を行う（Ｓ２４５）。図柄モード設定処理では、判定対象となる保留記憶の大当り図柄決定用乱数１に基づいて、大当り遊技の内容と大当り遊技終了後の遊技状態を決定する図柄モードを設定する。続いて、設定した図柄モードの種類と判定対象となる保留記憶の大当り図柄決定用乱数２に基づいて大当り図柄選択処理を行う（Ｓ２５０）。これは、図柄モードの設定によって決定した大当りの種類（大当り遊技の内容と大当り遊技終了後の遊技状態）と大当り図柄との関連付けを行うために、図柄モードの種類毎に設定された図柄郡の中から表示する図柄を決定する処理となる。なお、このＳ２５０で選択した特図の大当り図柄の種類に応じて後述する保留内確定演出を実施する構成としてもよい。
【００６６】
次にＳ２４５で設定した図柄モードに基づいてモードバッファ設定処理を行う（Ｓ２５５）。モードバッファは当否判定時に決定した大当り遊技終了後の遊技状態の内容を、該遊技状態を設定する大当り遊技終了時まで記憶する装置である（大当り遊技中は遊技状態を設定する確変フラグ及び時短フラグをクリアする必要があるため）。モードバッファとしては、具体的な遊技内容（確変機能および開放延長機能（時短機能）の作動とその作動回数）は記憶せず、複数種類の具体的な遊技内容のそれぞれに対応した値を記憶する構成となっている。
【００６７】
次に、Ｓ２４５で設定した図柄モードに基づいて大当り遊技の内容となる大入賞口の開放パターン設定処理を行い（Ｓ２６０）、当否判定の対象とした保留記憶のリーチ決定用乱数および変動パターン決定用乱数に基づいて、第１特別図柄表示装置９又は第２特別図柄表示装置１０、及び演出図柄表示装置６に表示する図柄の変動時間となる変動パターン（変動時間）を、変動パターン選択テーブルから選択する（Ｓ２６５）。
【００６８】
次に、選択した大当り図柄および変動パターンの情報を、変動指示コマンドとしてサブ統合制御装置８３へ送信する（Ｓ２７０）。この情報を受信したサブ統合制御装置８３からの指示に基づいて、演出図柄制御装置８２は演出図柄表示装置６を制御し、大当り図柄および変動パターンの情報に対応する図柄の変動表示を開始する。サブ統合制御装置８３への送信とほぼ同時に、主制御装置８０は、第１特別図柄表示装置９又は第２特別図柄表示装置１０を直接制御して特別図柄の変動を開始する。
【００６９】
Ｓ２４０が否定判定、即ちハズレなら（Ｓ２４０：ｎｏ）、Ｓ２３５の比較処理の結果が小当りであるか否か判定し（Ｓ２８０）、肯定判定なら（Ｓ２８０：ｙｅｓ）、特図の種類、遊技状態、及び小当り図柄決定用乱数に基づいて小当り図柄を選択し（Ｓ２８５）、続いて小当り遊技の開放パターン設定処理を行い（Ｓ２６０）、小当り図柄に対応する前述した変動パターン選択処理を行い（Ｓ２６５）、小当り図柄および変動パターンの情報となる変動指示コマンドをサブ統合制御装置８３へ送信する（Ｓ２７０）。この情報を受信したサブ統合制御装置８３からの指示に基づき演出図柄制御装置８２は演出図柄表示装置６を制御し、小当り図柄および変動パターンの情報に基づいた第１又は第２特図に対応した演出図柄の変動表示を開始する。サブ統合制御装置８３への送信とほぼ同時に、主制御装置８０は、第１特別図柄表示装置９又は、第２特別図柄表示装置１０を直接制御して特別図柄の変動を開始する。
【００７０】
Ｓ２８０が否定判定なら（Ｓ２８０：ｎｏ）、ハズレ図柄を選択し（Ｓ２９０）、続いてハズレ図柄に対応する変動パターン設定処理を行い（Ｓ２６５）、ハズレに関する図柄及び変動パターンの情報となる変動指示コマンドをサブ統合制御装置８３へ送信する（Ｓ２７０）。この情報を受信したサブ統合制御装置８３からの指示に基づき演出図柄制御装置８２は演出図柄表示装置６を制御し、ハズレ図柄および変動パターンの情報に基づいた擬似図柄の変動表示を開始する。サブ統合制御装置８３への送信とほぼ同時に主制御装置８０は、第１特別図柄表示装置９又は第２特別図柄表示装置１０を直接制御して特別図柄の変動を開始する。
【００７１】
次に、Ｓ２０５が肯定判定、即ち、特別図柄の変動中であれば（Ｓ２０５：ｙｅｓ）、図７のフローチャートに進み、特別図柄の変動時間（Ｓ２６５で選択された変動パターンに基づく）が経過したか否か判定する（Ｓ３００）。否定判定なら（Ｓ３００：ｎｏ）リターンし、肯定判断なら（Ｓ３００：ｙｅｓ）、確定コマンドをサブ統合制御装置８３に送信し、第１特別図柄表示装置９又は第２特別図柄表示装置１０を制御してＳ２５０，Ｓ２８５又はＳ２９０で選択した確定図柄を確定表示させる（Ｓ３０５）。確定コマンドを受信したサブ統合制御装置８３は演出図柄制御装置８２に予め選択されていた擬似図柄を確定表示させる指示信号を送信し、演出図柄制御装置８２は、その信号に応じて演出図柄表示装置６を制御して擬似図柄を確定表示させる。これにより、第１又は第２特別図柄と、演出図柄表示装置６に表示される擬似図柄の変動の開始と終了とが同じタイミングになる（同期する）。
【００７２】
Ｓ３０５に続いては、第１特別図柄表示装置９又は第２特別図柄表示装置１０で確定表示させた第１又は第２特別図柄が、大当り図柄か否か判定し（Ｓ３１０）、肯定判定なら（Ｓ３１０：ｙｅｓ）、確定図柄の表示設定処理（確定図柄で表示させておく時間の設定）を行い（Ｓ３１５）、確変フラグが１か否か（高確率状態か否か）判定し（Ｓ３２０）、肯定判定なら（Ｓ３２０：ｙｅｓ）、確変フラグに０をセットし（Ｓ３２５）、Ｓ３２５、又はＳ３２０の否定判定（Ｓ３２０：ｎｏ）に続いては、時短フラグが１か否か判定し（Ｓ３３０）、肯定判定なら（Ｓ３３０：ｙｅｓ）、時短フラグに０をセットし（Ｓ３３５）、Ｓ３３０、又はＳ３３５の否定判定（Ｓ３３５：ｎｏ）に続いては、条件装置作動開始処理（Ｓ３４０）と、役物連続作動装置作動開始処理（Ｓ３４５）とを行うことで大当りを開始し、大当り開始演出指示コマンドをサブ統合制御装置８３に送信する（Ｓ３５０）。
【００７３】
一方、Ｓ３１０が否定判定、即ち、確定図柄が大当りでなければ（Ｓ３１０：ｎｏ）、確定図柄の表示設定処理（確定図柄で表示させておく時間の設定）を行い（Ｓ３６０）、確変フラグが１か否か判定し（Ｓ３６５）、肯定判定なら（Ｓ３６５：ｙｅｓ）、確変カウンタからデクリメントし（Ｓ３７０）、確変カウンタが０か否か判定し（Ｓ３７５）、肯定判定なら（Ｓ３７５：ｙｅｓ）、確変フラグに０をセットする（Ｓ３８０）。続いて、Ｓ３８０、又はＳ３６５，Ｓ３７５が否定判定なら（Ｓ３６５：ｎｏ，Ｓ３７５：ｎｏ）、時短フラグが１か否か判定し（Ｓ３８５）、肯定判定なら（Ｓ３８５：ｙｅｓ）、時短カウンタからデクリメントし（Ｓ３９０）、時短カウンタが０か否か判定し（Ｓ３９５）、肯定判定なら（Ｓ３９５：ｙｅｓ）、時短フラグに０をセットする（Ｓ４００）。Ｓ３６５からＳ４００によって、特別図柄が当否判定に応じたハズレ確定表示を行うごとに、高確率状態を規制する確変カウンタと時短（開放延長）状態を規制する時短カウンタとが計数され、これらのカウンタが所定値に至ることで遊技状態が変化（時短（開放延長）状態が終了し、通常状態（通常確変状態で、且つ、通常開放状態）に移行）する。
【００７４】
続いて、Ｓ４００、又はＳ３８５，Ｓ３９５が否定判定なら（Ｓ３８５：ｎｏ，Ｓ３９５：ｎｏ）、確定表示された特別図柄が小当り図柄か否かを判断し（Ｓ４０５）、肯定判定なら（Ｓ４０５：ｙｅｓ）、小当り遊技の作動開始を行う処理を行い（Ｓ４１０）、Ｓ３５０，Ｓ４１０、又はＳ４０５の否定判定（Ｓ４０５：ｎｏ）に続いては、上記処理の結果に基づく遊技状態を示す状態指定コマンドをサブ統合制御装置８３に送信し（Ｓ３５５）リターンする。
【００７５】
図６に戻り、Ｓ２１０が肯定判定、即ち、確定図柄の表示中なら（Ｓ２１０：ｙｅｓ）、図８のフローチャートに進み、確定図柄表示時間が経過したか否か判定し（Ｓ４５０）、否定判定なら（Ｓ４５０：ｎｏ）リターンし、肯定判定なら（Ｓ４５０：ｙｅｓ）、確定図柄表示終了処理（Ｓ４５５）を行い、第１特別図柄表示装置９又は第２特別図柄表示装置１０を制御して特別図柄の確定表示を終了させ、サブ統合制御装置８３に疑似図柄の確定表示を終了させる指示信号を送信してリターンする。
【００７６】
図９に示した図表は、第１特別図柄と第２特別図柄の変動パターン（変動時間）に対応した演出図柄表示装置６で表示される変動演出の一例を示している。図表に示すように、どちらの特別図柄も変動時間が異なる変動パターンを複数備えており、通常変動１、２、３以外では所謂リーチが演出図柄表示装置６上で成立し、大当りを期待させる演出が行われる。第１特別図柄と第２特別図柄とでは、同一の変動パターンを備える構成としたが、夫々が異なる変動パターンを備えてもよく、第１特別図柄にしか存在しない変動パターンや、第２特別図柄にしか存在しない変動パターンがあってもよい。なお、変動パターン１は、時短状態（開放延長状態）のみで選択される変動パターンとなり、その変動時間の短さより、１回の変動中に十分な演出を行うことよりも、単位時間当たりで効率的に変動回数を消化すること優先している。
【００７７】
次に、図１０に示したフローチャートを用いて、サブ統合制御装置８３が実行する保留数指示コマンド受信処理を説明する。本処理を開始すると、保留数指示コマンドを受信したか否か判定する（Ｓ５００）。否定判定なら（Ｓ５００：ｎｏ）リターンし、肯定判定なら（Ｓ５００：ｙｅｓ）、サブ統合制御装置８３が備える保留数カウンタに＋１し（Ｓ５０５）、演出図柄制御装置８２に保留数表示信号を送信し（Ｓ５１０）、リターンする。演出図柄制御装置８２は、保留数表示信号を受信すると、受信時の保留数カウンタ値に応じて演出図柄表示装置６上に保留図柄を表示する。本実施例では１個の保留記憶に対して１個の保留図柄を表示する構成であり、詳細については図を用いて後述する。なお、保留数カウンタの値は、後述する変動指示コマンド受信処理において変動指示コマンドを受信するごとにデクリメントされる。これにより、絶えず主制御装置５０が記憶すると同一数が管理される。
【００７８】
また、サブ統合制御装置８３に保留数カウンタを備えない構成も考えられる。この構成では、主制御装置８０が送信する保留数指示コマンドが保留記憶数を示し、サブ統合制御装置８３は指示された数を保留記憶数として表示し、保留数指示コマンドは、変動開始時と、保留記憶発生時に主制御装置８０から送信される構成となる。この構成でも、保留記憶図柄の増減タイミングは主制御装置８０の保留数指示コマンドの送信タイミングと同じとなり演出図柄表示装置６上でも正確な保留数を報知することが可能となる。
【００７９】
次に、図１１に示したフローチャートを用いて、サブ統合制御装置８３が実行する先読判定コマンド受信処理を説明する。本処理は、保留記憶の先読判定内容を記憶する処理（先読判定内容記憶手段）となる。
【００８０】
本処理を開始すると、先読判定コマンド（図５、Ｓ１２０、又はＳ１５０に基づく）を受信したか否か判定し（Ｓ５５０）、否定判定なら（Ｓ５５０：ｎｏ）、リターンし、肯定判定なら（Ｓ５５０：ｙｅｓ）、受信した先読判定コマンドの内容を保留記憶順に参照可能に記憶し（Ｓ５５５）リターンする。
【００８１】
次に、図１２に示したフローチャートを用いて、サブ統合制御装置８３が実行する変動指示コマンド受信処理を説明する。本処理は、受信した変動指示コマンドに基づいて演出図柄表示装置演出図柄６に表示する変動演出態様を選択して表示を指示する処理となる。
【００８２】
本処理を開始すると、変動指示コマンドを受信したか否か判定し（Ｓ６００）、否定判定なら（Ｓ６００：ｎｏ）リターンし、肯定判定なら（Ｓ６００：ｙｅｓ）、振分乱数１を抽出し（Ｓ６０５）、保留数カウンタからデクリメントし（Ｓ６１０）、デクリメントした保留カウンタに対応して記憶していた先読判定内容を削除し（Ｓ６１５）、受信した変動指示コマンドの内容と抽出した振分乱数１との値に基づいて、演出図柄表示装置６に表示する変動演出態様を選択し（Ｓ６２０）、後述する第１保留内確定演出実施決定処理を行い（Ｓ６２５）、演出図柄制御装置８２に上記した処理で選択した擬似図柄の変動演出（先読演出となる第１保留内確定演出を含む）を演出図柄表示装置６に表示する指示を行い（Ｓ６３０）リターンする。
【００８３】
Ｓ６２５の第１保留内確定演出実施決定処理を図１３のフローチャートを用いて説明する。本処理を開始すると、先読判定コマンド受信処理（図１１）のＳ５５５で保留記憶に対応して順次記憶した先読判定内容を全て参照し（Ｓ６５０）、第１保留内確定演出の実行条件が成立しているか否か、即ち、参照した全ての先読判定内容の中に大当りがあるか否か判定し（Ｓ６５５）、肯定判定なら（Ｓ６５５：ｙｅｓ）、Ｓ６２０で所定の演出態様（例えば、図９で示した変動パターン４以降のいずれかに対応した所定の変動演出）が、選択されているか否か判定し（Ｓ６６０）、肯定判定なら（Ｓ６６０：ｙｅｓ）、第１保留内確定演出の実行判定処理を行う（Ｓ６６５）。
【００８４】
なお、Ｓ６６０、Ｓ６６５の判定では、保留記憶数に応じて第１保留内確定演出、又は第２保留内確定演出のいずれかを行うか否か判定してもよい。その場合、例えば、保留記憶数が１〜２個の場合は第２保留内確定演出の選択率を高くし、保留記憶数が３個以上の場合は第１保留内確定演出の選択率を高くする構成としてもよい。これにより、保留記憶数が少ない場合は、大当り遊技中まで保留内演出を待つことにより、保留が満杯になりやすい。  
なお、第１保留内確定演出の実行タイミングとしては、始動口入賞時、所定の演出態様中ならばその変動途中から第１保留内確定演出を実行する構成も考えられるし、始動口入賞してから次の変動が所定の変動パターンである場合に第１保留内確定演出を実行する構成も考えられる。第１保留内確定演出の演出内容が変動途中からでも可能な場合は前者を採用すればよいし、変動開始からしか実行できないような演出ならば後者を採用すればよいし、どちらでも可能ならば当該変動と次の変動両方を参照した上で実行判定を行う構成でも良い。２変動分を対象にすれば、それだけ実行条件が成立しやすくなり第１保留内確定演出が発生しやすくなる。
【００８５】
Ｓ６６５の第１保留内確定演出の実行判定処理では、当該処理時の遊技状態を参照し、時短状態であれば第１保留内確定演出は実行しない。この判定は、時短状態では１回の変動演出が３．０秒と短いため、期待する演出効果を発揮しないための措置となる。また、実行する場合には、Ｓ６０５で抽出した振分乱数１を用いて複数種類備える第１保留内確定演出の中から実行する第１保留内確定演出を選択する。
【００８６】
無論、第１保留内確定演出をリーチ演出時に行なう仕様ならば、時短状態であってもリーチ演出を行う際には実行が可能なため、実施する構成にしても良いし、逆に時短状態の時だけ第１保留内確定演出を実行する構成とすることも考えられる。このようにすれば、時短状態の時だけ保留内に大当りがあることを示唆する変動演出が発生することから、通常遊技状態に比べて有利な時短状態が演出上も有利な状態とすることができる。更に時短状態では、通常状態に比べて保留記憶が多い状況となるため、この状況を演出面に好適に使うことができる。
【００８７】
Ｓ６６５に続いては、Ｓ６６５の処理結果として第１保留内確定演出が実行可能か否か判定し（Ｓ６７０）、肯定判定判定なら（Ｓ６７０）、第１保留内確定演出の実行をセットする（Ｓ６７５）。Ｓ６７５、又はＳ６５５、Ｓ６６０、Ｓ６７０の否定判定（Ｓ６５５：ｎｏ、Ｓ６６０：ｎｏ、Ｓ６７０：ｎｏ）に続いては、Ｓ６３０（擬似図柄変動指示）に進む。
【００８８】
次に、図１４に示したフローチャートを用いて、サブ統合制御装置８３が実行する第２保留内確定演出実施判定処理を説明する。図１３を用いて説明した第１保留内確定演出実施判定処理が、当否判定結果を報知する図柄の変動演出時に行う先読演出（第１保留内確定演出）の実施を判定する処理であったのに対して、本処理は大当り遊技中に行う先読演出（第２保留内確定演出）の実施を判定する処理となる。
【００８９】
本処理を開始すると、大当り開始演出指示コマンド（図７、Ｓ３５０参照）を受信したか否か判定し（Ｓ７００）否定判定なら（Ｓ７００：ｎｏ）リターンし、肯定判定なら（Ｓ７００：ｙｅｓ）、図１３のＳ６５０と同様に、Ｓ５５５で保留記憶に対応して順次記憶した先読判定内容を全て参照し（Ｓ７０５）、第２保留内確定演出の実行条件が成立しているか否か、即ち、参照した全ての先読判定内容の中に大当りがあるか否か判定し（Ｓ７１０）、否定判定なら（Ｓ７１０：ｎｏ）リターンし、肯定判定なら（Ｓ７１０：ｙｅｓ）、乱数を抽出して第２保留内確定演出を実行するか否か判定し、実行するならば、複数備える第２保留内確定演出の中から実行する第２保留内確定演出を選択する処理を行う（Ｓ７１５）。
【００９０】
さらに、第２保留内確定演出実行判定処理として、当該大当りが確定する変動演出中に第１保留内確定演出が実行されたか否かを確認し、確認結果に応じて第２保留内確定演出を実行するか否か判定してもよい。この場合の判定は、第１保留内確定演出を行っていた場合には、第２保留内確定演出を行わないと判定してもよいし、その逆で第１保留内確定演出を行っていた場合に第２保留内確定演出を行うと判定してもよいし、お互い実行条件が成立しさえすれば実行するようにシンプルな構成にしてもよい。
【００９１】
続いてＳ７１５の処理結果として第２保留内確定演出が実行可能か否か判定し（Ｓ７２０）、否定判定なら（Ｓ７２０：ｎｏ）リターンし、肯定判定判定なら（Ｓ７２０：ｙｅｓ）、第２保留内確定演出の実行をセットして（Ｓ６７５）リターンする。
【００９２】
次に、図１５から図１９を用いて演出図柄表示装置６で実施する表示例を説明する。図１５の１は、通常変動演出画面の基本構成を示している。具体的には、画面中央に擬似図柄表示領域を配置し、その領域内で第１特図又は第２特図の変動に対応して左中右の擬似図柄が変動演出を実施する。図は通常遊技状態（非開放延長状態、時短フラグ＝０）であるため、第１特図に対応した擬似図柄の変動中であることを示している。
【００９３】
図１５の２は、先読演出として図柄変動時に実施する第１保留内確定演出の表示例となり、（１）は、保留図柄の表示態様が変化する第１保留内確定演出１の表示例となる。この場合、左右の擬似図柄が同図柄で停止することでリーチが成立すると（所定の変動演出）、保留図柄がキャラクタ（熊の達吉）に変化することで、第１保留内確定演出１を実施している。この第１保留内確定演出１では、保留記憶に大当りがあることを報知するのであって、当該変動の期待度（大当りになる）を報知するものではない。
【００９４】
また、本実施例では、保留記憶数が３個以上ある場合に第１保留内確定演出１が実施可能であり、保留記憶が満タン（４個）の状態から変動を開始した状態で実施してもよいし、変動を開始して当該変動中に保留記憶が３個に増加した場合に実施してもよい。
【００９５】
また逆に、保留記憶が１個の状態や、次変動の保留が大当りになる、連続して大当りになる状況であることを条件とすることも考えられる。それならば、大当り後にハズレ変動を介することなく再びお大当りすることから、第１保留内確定演出として大当り遊技も介しながら２変動に渡る一連の演出として、遊技者に特別感を与えることができる。
【００９６】
図１６の２（２）は、通常では実施されないリーチ演出（保留記憶内に大当りがある場合に実施されるリーチ演出（所定の変動演出））を実施することで保留記憶内に大当りがあることを報知する第１保留内確定演出２の表示例となる。図例は、「空手リーチ」を示し、このリーチが出現すれば、保留記憶内に大当りがあることの報知となる。
【００９７】
また、このリーチで大当りした場合（はずれる場合もある）に、保留連チャンの確定（保留記憶にも大当りがある）報知としてもよいし、この「空手リーチ」が出現した時点で、大当り確定、又は/及び保留内に大当りがあることが確定する構成でもよい。また、「空手リーチ」が出現した時点で、当該空手リーチの大当りは確定しないが、保留記憶内に大当りがあることは確定報知する構成でもよい。
【００９８】
図１６の２（３）は、通常では表示されない擬似図柄を表示することで保留記憶内に大当りがあることを報知する第１保留内確定演出３の表示例となる。図例では、通常は表示されない擬似図柄「Ｘ」でリーチが成立することで保留記憶に大当りがあることを報知している。
【００９９】
このリーチで大当りした場合に、保留連チャンの確定（保留記憶にも大当りがある）報知としてもよいし、この「Ｘ」という擬似図柄が出た時点で、大当り確定、又は/及び保留内に大当りがあることが確定する構成でもよい。また、「Ｘ」という擬似図柄が出た時点で、大当りするかは確定しないが、保留記憶内に大当りがあることを確定報知する構成でもよい。
【０１００】
また、変動中図柄（保留記憶の個数を示す保留図柄が変動開始により消化された場合に、保留図柄が示していた予告表示などを引き継いで変動中に表示される図柄。）を表示する構成の遊技機ならば、変動中図柄を特別な図柄にすることにより第１保留内確定演出としてもよい。これならば、どのリーチに発展しても変動中図柄さえ特別な図柄に変化すれば良いため、リーチ演出が決定しても期待を持続することができる。
【０１０１】
また、ボタン図柄（演出ボタンの操作を促すために表示される図柄）を特別な図柄にすることにより第１保留内確定演出としてもよい。これならば、リーチの最終局面などに演出ボタンの操作を促す際に保留内の大当りにも期待できることが示唆されるため、リーチ演出で最も盛り上がっているタイミングで更に盛り上げる効果が期待できる。
【０１０２】
図１７の３は、先読演出として大当り遊技中に実施する第２保留内確定演出の表示例となり、（１）は、大当り遊技のラウンド数を示すラウンド図柄の変化によって保留記憶内に大当りがあることを報知する第２保留内確定演出１の表示例となる。具体的には、通常はアラビア数字を表示するラウンド図柄がローマ数字に変化することで保留記憶内に大当りがあることを報知している。
【０１０３】
（２）は、大当り遊技中の演出表示として通常では表示されない「ボクシング対決演出」が表示されることで保留記憶に大当りがあることを報知する第２保留内確定演出２の表示例となる。
【０１０４】
図１８の（３）は、大当り遊技のオープニング演出、又はエンディング演出として通常では出現しないキャラクタが出現することで保留記憶内に大当りがあることを報知する第２保留内確定演出３の表示例となる。
【０１０５】
（４）も、大当り遊技中に専用の演出画面が出現することで保留記憶内に大当りがあることを報知する第２保留内確定演出４の表示例となるが、高確率状態への移行がＶ確（大当り遊技中に大入賞口内の特定領域（Ｖ）に遊技球が入球することで大当り遊技終了後に高確率状態に移行）によって決定する構成とした場合に、特定領域（Ｖ）入球時に「Ｖ」図柄を表示する際、さらにもう一つの「Ｖ」図柄を表示することにより、保留記憶に大当りがあることを報知する構成となる。
【０１０６】
図１９は、大当り遊技終了後に専用の演出画面が出現することで保留記憶内に大当りがあることを報知する第３保留内確定演出の表示例となる。このように、図柄の変動演出中、又は大当り遊技中以外にも、例えば大当り遊技終了後の遊技状態（図例では時短状態）で特別な演出モードを実施することで保留記憶内に大当りがあることを報知してもよい。これならば、数変動で大当りすることから、複数の変動を跨いだ一連の演出を行うことで遊技者に特別感を与えることができる。
【０１０７】
以上が実施例の説明となる。図１５の２（１）の説明では、第１保留内確定演出を実施する場合に所定数の保留記憶数を実施条件とする構成を説明したが、例えば、大当りする変動を開始した時に保留内確定演出の実行条件が成立し、保留が３個（変動開始時は必ず１つ保留記憶が消去されるため３個）で保留記憶内に大当りがあるならば、大当り遊技まで待って保留が満タン（４個）になってから第２保留内確定演出を行うよりも、変動時に行うことにより当該変動の大当りと保留内の大当りとを同時期に示唆して演出した方が遊技者にもインパクトを与えやすいため、第１保留内確定演出を優先して実行するのが好適である。
【０１０８】
これにより、保留内確定演出の実行条件が成立した状態で所定の変動演出を開始する場合、保留記憶の数に応じて第１保留内確定演出を行うか第２保留内確定演出を行うかを選択できるようになる。
【０１０９】
図１６（３）を用いた表示例の説明では、演出図柄表示装置６に所定の図柄（擬似図柄）が表示されることで保留記憶内に大当りがあることを報知する構成としたが、第１特別図柄表示装置９、又は第２特別図柄表示装置１０に所定の図柄（特別図柄）が表示されることで保留記憶内に大当りがあることを報知する構成としてもよく、この場合の特別図柄の所定の図柄は、例えば大当り図柄としてもよく、当該図柄で大当りすると（当該図柄に対応した擬似図柄を演出図柄表示装置６に表示した場合）に、保留記憶内にも当りがあることを報知することになり、遊技者の喜びを倍にすることができる。また、大当りした特別図柄の種類に応じて、保留内確定予告を図柄の変動演出中に行うか（第１保留内確定演出を行うか）、大当り遊技中に行うか（第２保留内確定演出）を行うかを選択する構成としてもよい。
【０１１０】
実施例のパチンコ遊技機は、当否判定確率の確率状態として通常確率状態と高確率状態との二つの遊技状態を備え、さらに、普通電動役物の開放状態として非開放延長状態と開放延長状態との二つの遊技状態を備え、開放延長状態に移行する場合は、同時に図柄の変動時間が短縮される時短状態にも移行する構成とした。これにより、例えば、非開放延長状態では、平均変動時間が比較して長くなることにより変動演出中に十分な演出時間の確保ができるため当該変動演出が大当りとなる場合は第２保留内確定演出に比べ第１保留内確定演出を選択する割合を高めることが考えられ、開放延長状態であれば、変動演出時間の短縮により演出時間の確保が難しいため第２保留内確定演出を選択する割合を高める構成が好適であり、遊技状態に応じて保留内確定演出を変動演出時に行うか大当り遊技中に行うか効果的に選択することができる。
【産業上の利用可能性】
【０１１１】
以上のように、本発明の弾球遊技機によれば、先読演出の一つである保留記憶の中に大当りがあることを示唆する保留内確定演出の実施を好適に振り分けることで興趣ある弾球遊技機となり、当否判定の実施以前に当該当否判定の結果を確認可能とする構成の弾球遊技機に適用することができる。
【符号の説明】
【０１１２】
１    遊技盤
６    演出図柄表示装置
９    第１特別図柄表示装置
１０    第２特別図柄表示装置
１１    第１始動口
１２    第２始動口
１４    大入賞口
１５    普通電動役物
１７    ゲート
８０    主制御装置
８２    演出図柄制御装置
８３    サブ統合制御装置
【図１】
2018192105.tif 000003
【図２】
2018192105.tif 000004
【図３】
2018192105.tif 000005
【図４】
2018192105.tif 000006
【図５】
2018192105.tif 000007
【図６】
2018192105.tif 000008
【図７】
2018192105.tif 000009
【図８】
2018192105.tif 000010
【図９】
2018192105.tif 000011
【図１０】
2018192105.tif 000012
【図１１】
2018192105.tif 000013
【図１２】
2018192105.tif 000014
【図１３】
2018192105.tif 000015
【図１４】
2018192105.tif 000016
【図１５】
2018192105.tif 000017
【図１６】
2018192105.tif 000018
【図１７】
2018192105.tif 000019
【図１８】
2018192105.tif 000020
【図１９】
2018192105.tif 000021